(57)【特許請求の範囲】
【請求項１】
リモート制御の操作および設定状態を表示する透過型液晶表示器と、
前記透過型液晶表示器を透過して見える背面位置と隠れる位置とに移動可能に構成された反射板と、
前記反射板の移動を操作すべく機器に設けられた操作部と、
前記操作部の操作によって前記反射板を前記透過型液晶表示器面に対し平行に移動させる連動手段と、
リモート制御の操作を行う制御スイッチおよびその制御釦と、
該制御釦による誤操作を防止するためのホールドスイッチとを備え、
前記反射板は、前記透過型液晶表示器を透過して見える背面位置に移動させて、当該反射板により当該透過型液晶表示器に前面から入射する光を反射するよう構成し、
前記反射板の移動に連動して、前記ホールドスイッチを切り換えることにより、透過型液晶表示器の表示状態に連動してホールド機能を切り換えるように構成したことを特徴とする液晶表示装置。
【請求項２】
前記連動手段は、前記操作部の操作による前記反射板を平行移動するよう設けられたリンク機構と、前記操作部の操作により前記反射板を移動させる際、当該反射板を、当該液晶表示器を透過して見える背面位置および隠れる位置とに付勢するよう配設されたトグルバネとを備えたことを特徴とする請求項１記載の液晶表示装置。
【請求項３】
前記ホールドスイッチによるホールド機能は、前記反射板が前記透過型液晶表示器の背面から隠れる状態にある場合を前記ホールドスイッチのホールド状態とするよう構成したことを特徴とする請求項１または２記載の液晶表示装置。
【発明の詳細な説明】
【０００１】
【発明の属する技術分野】
本発明は、液晶表示装置に関わり、特に表示部を異なる表示形態に切り換えることが可能な液晶表示装置に関するものである。
【０００２】
【従来の技術】
従来の液晶表示装置としては、図８に示すものが知られている。図８は従来の液晶表示装置の断面図を示すものである。図８において、２１はキャビネット、２１ａはキャビネット２１に設けられた表示窓、２２は表示窓２１ａに対応する位置に表示部を持つ透過型液晶表示器、２２ａは透過型液晶表示器２２の偏光板、２３は透過型液晶表示器２２の背面に備えられた反射板である。
【０００３】
【発明が解決しようとする課題】
このような液晶表示装置においては、矢印Ｅ方向から入射した光が液晶表示器２２に用いられている偏光板２２ａを通過して反射板２３に到達し、反射板２３からの反射光が再び偏光板２２ａを通過して視認される。すなわち前方から入射した光は偏光板２２ａを二度通過するため透過率が低く、反射板２３が明るい銀色であっても反射光は鉛色に見え、立体感や透明感のある表示ができないという問題があった。
【０００４】
本発明は、立体感と透明感のある表示形態と、背景に影響されず安定して読み取りができる表示形態の、異なる表示形態に切り換えることが可能な液晶表示装置を提供することを目的としてなされたものである。
【０００５】
【課題を解決するための手段】
この課題を解決するために本発明の液晶表示装置は、リモート制御の操作および設定状態を表示する透過型液晶表示器と、前記透過型液晶表示器を透過して見える背面位置と隠れる位置とに移動可能に構成された反射板と、前記反射板の移動を操作すべく機器に設けられた操作部と、前記操作部の操作によって前記反射板を前記透過型液晶表示器面に対し平行に移動させる連動手段と、リモート制御の操作を行う制御スイッチおよびその制御釦と、該制御釦による誤操作を防止するためのホールドスイッチとを備え、前記反射板は、前記透過型液晶表示器を透過して見える背面位置に移動させて、当該反射板により当該透過型液晶表示器に前面から入射する光を反射するよう構成し、前記反射板の移動に連動して、前記ホールドスイッチを切り換えることにより、透過型液晶表示器の表示状態に連動してホールド機能を切り換えるように構成したものである。
【０００６】
これにより、リモート制御の操作において、液晶表示を立体感と透明感のある表示形態と、背景に影響されず安定して読み取りができる表示形態の、異なる表示形態に切り換えることが可能となると共に、その切り換えを操作釦による誤操作を防止す為のホールドスイッチと連動させることにより、ホールド状態における表示形態を、非ホールド状態と異なる表示形態として容易に識別することができる。
【０００７】
【発明の実施の形態】
本発明の請求項１に記載の発明は、機器の制御操作および設定状態を表示する透過型液晶表示器と、前記透過型液晶表示器を透過して見える背面位置と隠れる位置とに移動可能に構成された反射板と、前記反射板の移動を操作すべく機器に設けられた操作部と、前記操作部の操作によって前記反射板を前記透過型液晶表示器面に対し平行に移動させる連動手段と、機器の機能動作の制御操作を行う制御スイッチおよびその制御釦と、該制御釦による誤操作を防止するためのホールドスイッチとを備え、前記反射板は、前記透過型液晶表示器を透過して見える背面位置に移動させて、当該反射板により当該透過型液晶表示器に前面から入射する光を反射するよう構成し、前記反射板の移動に連動して、前記ホールドスイッチを切り換えることにより、透過型液晶表示器の表示状態に連動してホールド機能を切り換えるように構成したものであり、液晶表示を立体感と透明感のある表示形態と、背景に影響されず安定して読み取りができる表示形態の、異なる表示形態に切り換えることが可能となると共に、その切り換えを操作釦による誤操作を防止す為のホールドスイッチと連動させることにより、ホールド状態における表示形態を、非ホールド状態と異なる表示形態とすることができるという作用を有する。
【０００８】
請求項２に記載の発明は、前記操作部の操作による前記反射板を平行移動するよう設けられたリンク機構と、前記操作部の操作により前記反射板を移動させる際、当該反射板を、当該液晶表示器を透過して見える背面位置および隠れる位置とに付勢するよう配設されたトグルバネとを備えたものであり、表示形態の切り換えを安定した確実な操作にし、品位を向上させることができるという作用を有する。
【０００９】
請求項３に記載の発明は、請求項１あるいは請求項２に記載の液晶表示装置において、前記ホールドスイッチによるホールド機能は、前記反射板が前記透過型液晶表示器の背面から隠れる状態にある場合を前記ホールドスイッチのホールド状態とするよう構成したものであり、液晶表示を立体感と透明感のある表示形態と、背景に影響されず安定して読み取りができる表示形態が、リモート制御のホールド状態とホールド解除の表示を兼ねるとともに、制御釦の操作が無効で液晶表示器を詳しく見る必要のないホールド状態を明るく立体感と透明感のある表示とし、制御釦の操作が有効で液晶表示器を詳しく見る必要があるホールド解除状態を表示を安定して読み取ることができる表示とすることにより、それぞれの表示状態の長所を生かすことができるという作用を有する。
【００１０】
以下本発明の実施の形態について、図１から図７を用いて説明する。
【００１１】
図１は本発明の一実施の形態による液晶表示装置の斜視図、図２は同分解斜視図、図３は同透過表示状態におけるリンク機構説明図、図４は同図３の状態の断面図、図５は同表示切り換え途中におけるリンク機構説明図、図６は同不透過表示状態におけるリンク機構説明図、図７は同図６の状態の断面図である。
【００１２】
図１〜図７において、１は上キャビネット、２は下キャビネット、３は上キャビネット１に取り付けられた透過型液晶表示器である。上キャビネット１には表示窓１ａが設けられており、表示窓１ａの上キャビネット１と透過型液晶表示器３の間には透明パネル４が備えられ、透過形液晶表示器３の表示部が見えるようになっている。また、表示窓１ａに対応する位置の下キャビネット２には裏面窓２ｄが設けられている。５は上キャビネット１に備えられたリモート制御の制御釦、６は反射板であり、後述する動作により表示窓１ａから透過型液晶表示器３を透過して見える範囲から隠れる透過表示位置と、表示窓１ａから透過型液晶表示器３を透過して見える範囲の背面を覆う不透過表示位置に移動することができる。７は反射板６の移動を操作すべく、スライド可能に設けられた操作部である。
【００１３】
透過型液晶表示器３は接続用基板８によりプリント基板９に電気的に接続され、リモート制御の操作および設定状態を表示する。また、制御釦５を押圧操作することにより、プリント基板９上に設けられた制御スイッチ１０を押圧し、リモート制御を行うよう構成されている。
【００１４】
反射板６には第１の長孔６ａ、第２の長孔６ｂおよび、切り欠き部６ｃが設けられており、操作部７に設けられた凸部７ａと、反射板６の切り欠き部６ｃが係合しており、操作部７のスライド動作に応じて、反射板６もスライドするよう構成されている。
【００１５】
１１は第１の第１のリンクであり、第１のリンク１１の端部にはリンク軸受け１１ａが穿設されており、下キャビネット２に設けられた第１のリンク軸２ａにリンク軸受け１１ａを嵌合させることにより、第１のリンク１１は下キャビネット２に回動可能に支持されている。第１のリンク１１の他端には軸１２が固定されており、この軸１２は、反射板６に設けられた第１の長孔６ａを貫通し、摺動自在に構成されている。
【００１６】
一方、１３は第２のリンクであり、第２のリンク１３の端部にはリンク軸受け１３ａが穿設されており、下キャビネット２に設けられた第２のリンク軸２ｂにリンク軸受け１３ａを嵌合させることにより、第２のリンク１３は下キャビネット２に回動可能に支持されている。第２のリンク１３の他端には軸１４が固定されており、この軸１４は、反射板６に設けられた一方の第２の長孔６ｂを貫通し、摺動自在に構成されている。
【００１７】
また、第１のリンク１１には、中央付近にクロス軸１５が固定されており、このクロス軸１５は、第２のリンク１３の中央付近に設けられたクロス孔１３ｂを貫通し、摺動自在に構成されている。
【００１８】
また、第２のリンク１３にはバネ作用部１３ｃが設けられ、このバネ作用部１３ｃと、下キャビネット２に設けられたバネ基点部２ｃとの間に、トグルバネ１６が設けられている。
【００１９】
一方、プリント基板９上には制御スイッチ１０の誤動作を防止するためのホールドスイッチ１７が設けられおり、このホールドスイッチ１７は、第２のリンク１３が、下キャビネット２に設けられた第２のリンク軸２ｂを中心として回動する際、検出片１７ａが、リンク１３に設けられた押圧部１３ｄで押圧される位置に配設されている。
【００２０】
以上のように構成された液晶表示装置について、以下その動作について説明する。
【００２１】
図３において、第２のリンク１３は、トグルバネ１６のバネ基点部２ｃとバネ作用部１３ｃとを離反させよとする付勢力により、第２のリンク軸２ｂを中心として、時計方向に回転付勢されている。この第２のリンク１３の時計方向への回転付勢力が、クロス孔１３ｂを介して第１のリンク１１のクロス軸１５に作用することにより、第１のリンク１１は、第１のリンク軸２ａを中心として反時計方向に回転付勢されている。これら第１のリンク１１および第２のリンク１３の回転付勢力は、軸１２および軸１４を介して反射板６の第１の長孔６ａおよび第２の長孔６ｂに作用し、反射板６を図３の矢印Ｂ方向、すなわち、表示窓１ａの視野から隠れる方向に付勢され反射板６は表示窓１ａから透過型液晶表示器３を透過して見える範囲から隠れる透過表示位置に保持されている。
【００２２】
この透過表示位置において、表示窓１ａに図４に示す矢印Ｄ方向から入射した光は透明パネル４、偏光板３ａ、透過型液晶表示器３を透過し、下キャビネット２に設けられた裏面窓２ｄから視野方向とは反対面に通過する。また、表示窓１ａを矢印Ｃ方向から見たとき、液晶表示器３には表示された文字が見え、文字以外の部分は透明となっており背景がそのまま見える。この背景を照射している光は透過型液晶表示器３に用いられている偏光板３ａを通過していない。すなわち後方から入射した背景からの光は偏光板３ａを一度しか通過しないため透過率が高く明るく、また光拡散板を配さないため背景が透過して立体感と透明感のある表示となる。透過して見える背景次第では液晶の表示が読み取りにくくなるが、このような場合は後述の操作により反射板６を表示窓１ａから透過型液晶表示器３を透過して見える範囲の背面を覆う不透過表示位置も切り換えることができる。
【００２３】
また、透過表示位置において第２のリンク１３に設けられた押圧部１３ｄは、図３に示すように、ホールドスイッチ１７の検出片１７ａを押圧しない位置にあり、リモート制御はホールド状態に設定されており、前述した制御釦５を操作しても、リモート制御はそれに応じた動作をせず、リモート制御は誤操作防止のホールド状態となっている。このように、リモート制御は誤操作防止のホールド状態を透過表示としているため、背景次第では液晶の表示が読み取りにくいことも問題とならない。
【００２４】
次に、反射板６を、透過表示位置から不透過表示位置に切り換える操作について説明する。
【００２５】
操作部７を図３に示される矢印Ａ方向にスライドさせると、操作部７に設けられた凸部７ａが、反射板６の切り欠き６ｃに作用し、反射板６も矢印Ａ方向にスライドする。また、反射板６がスライドすることにより、反射板６に設けられた第１の長孔６ａが、第２のリンク１３に固定された軸１２に作用することにより、第２のリンク１３は、第２のリンク軸２ｂを中心として、トグルバネ１６の付勢力に抗いながら、反時計方向に回転する。同様に、反射板６に設けられた第２の長孔６ｂが、第１のリンク１１に固定された軸１４に作用することにより、第１のリンク１１は、第１のリンク軸２ａを中心として、トグルバネ１６の付勢力に抗いながら、時計方向に回転する。このとき、第２のリンク１３に設けられたクロス孔１３ｂと、第１のリンク１１に固定されたクロス軸１５は互いに作用されるが、第１のリンク１１の時計方向の回転角度と、第２のリンク１３の反時計方向への回転角度が同じとなるよう第２のリンク１３のクロス孔１３ｂが傾いて配設されているため、反射板６は、液晶表示器３に対して平行にスライドする。
【００２６】
このような第１のリンク１１および第２のリンク１３の回動により、図５に示す状態すなわち、図３の状態から操作部７をスライドし、反射板６が、液晶表示器３の表示範囲の背面位置に至る間の中立点に位置する状態となる。この中立点において、バネ基点部２ｃ、バネ作用部１３ｃ、第２のリンク軸２ｂが一直線上に位置し、バネ基点部２ｃとバネ作用部１３ｃとが最短距離となることから、これらを離反させよとするトグルバネ１６には付勢力が最大に蓄えられる。更に操作部７をスライドさせ、中立点を越える位置までスライドさせると、こんどはバネ基点部２ｃとバネ作用部１３ｃとを離反させよとするトグルバネ１６の付勢力が、第２のリンク１３が反時計方向に回転付勢される方向に作用する。この第２のリンク１３の反時計方向への回転付勢力が、クロス孔１３ｂを介して第１のリンク１１のクロス軸１５に作用することにより、第１のリンク１１は、第１のリンク軸２ａを中心として時計方向に回転付勢される。これら第１のリンク１１および第２のリンク１３の回転付勢力は、軸１２および軸１４を介して反射板６の第１の長孔６ａおよび第２の長孔６ｂに作用し、反射板６を図３の矢印Ａ方向、すなわち、表示窓１ａの視野を覆う方向に付勢され反射板６は表示窓１ａから透過型液晶表示器３を透過して見える範囲の背面を覆う不透過表示位置に保持される。
【００２７】
この不透過表示位置において、表示窓１ａに図７に示す矢印Ｄ方向から入射した光は透明パネル４、偏光板３ａ、透過型液晶表示器３を透過して反射板６で拡散反射し、透過型液晶表示器３の表示を背後から照射する。このため、表示窓１ａを矢印Ｃ方向から見たとき、前述の透過表示位置と比較して、背景に影響されないため液晶の表示を安定して読み取ることができる。
【００２８】
この不透過表示位置において、前方から入射した光は透過型液晶表示器３に用いられている偏光板３ａを通過して反射板６に到達し、反射板６からの反射光が再び偏光板３ａを通過して視認される。すなわち前方から入射した光は偏光板３ａを二度通過するため透過率が低く、反射板６が明るい銀色であっても反射光は鉛色に見え、立体感と透明感のある表示ができないが、所望により前述の操作により反射板６を透過表示位置に切り換えることができる。
【００２９】
また、不透過表示位置において第２のリンク１３に設けられた押圧部１３ｄは、図６に示すように、ホールドスイッチ１７の検出片１７ａを押圧する位置にあり、リモート制御はホールドが解除された状態となり、これにより、前述した制御釦５を操作することにより、リモート制御はそれに応じた動作をする。このように、リモート制御のホールドが解除された状態を、背景に影響されないため液晶の表示を安定して読み取ることができる不透過表示とし、透過表示と不透過表示が、ホールド状態とホールド解除の表示を兼ねさせている。
【００３０】
次に、反射板６を、不透過表示位置から透過表示位置に切り換える操作について説明する。
【００３１】
操作部７を図６に示される矢印Ｂ方向にスライドさせると反射板６がスライドし、第２のリンク１３はトグルバネ１６の付勢力に抗いながら時計方向に回転し、第１のリンク１１は反時計方向に回転する。バネ基点部２ｃとバネ作用部１３ｃとが最短距離となる中立点でトグルバネ１６には付勢力が最大に蓄えられ、更に中立点を越えると、こんどはバネ基点部２ｃとバネ作用部１３ｃとを離反させよとするトグルバネ１６の付勢力が、第２のリンク１３が時計方向に回転付勢される方向に作用し、第１のリンク１１は反時計方向に回転付勢される。これにより反射板６は図３の矢印Ｂ方向、すなわち、表示窓１ａの視野から隠れる方向に付勢され反射板６は表示窓１ａから透過型液晶表示器３を透過して見える範囲から隠れる透過表示位置に保持される。
【００３２】
以上のように本実施形態によれば、液晶表示器３には表示された文字が見え、文字以外の部分は透明となっており背景がそのまま見え明るく立体感と透明感のある透過表示と、前方から入射した光が反射板６で拡散反射し透過型液晶表示器３を背後から照射して背景に影響されないため液晶の表示を安定して読み取ることができる不透過表示の、異なる表示形態に切り換えることが可能となる。
【００３３】
また、透過表示と不透過表示が、リモート制御のホールド状態とホールド解除の表示を兼ねるとともに、制御釦５の操作が無効で液晶表示器３を詳しく見る必要のないホールド状態を明るく立体感と透明感のある透過表示とし、制御釦５の操作が有効で液晶表示器３を詳しく見る必要があるホールド解除状態を表示を安定して読み取ることができる不透過表示とすることにより、それぞれの表示状態の長所が生かせるとともに、制御釦５の操作を所望するときホールド状態であったときは背景次第では液晶の表示が読み取りにいことでホールド状態の解除操作を促し、制御釦５の操作を所望しないホールド解除状態であったときは透明感のない表示とすることでホールド操作を促すことができ、各表示状態の短所によりホールド状態の適正な操作を促すことができる。
【００３４】
【発明の効果】
以上のように本発明によれば、リモート制御の操作において、液晶表示装置の液晶表示を、立体感や透明感のある表示形態と、背景に影響されず安定して読み取りができる表示形態の、異なる表示形態に切り換えることが可能となり、一つの液晶表示部において、異なる表示形態への切り換えを容易に行えると共に、その切り換えを操作釦による誤操作を防止す為のホールドスイッチと連動させることにより、ホールド状態における表示形態を、非ホールド状態と異なる表示形態として容易に識別することができるという有利な効果が得られる。
【図面の簡単な説明】
【図１】  本発明の一実施の形態による液晶表示装置の斜視図
【図２】  同分解斜視図
【図３】  同透過表示状態におけるリンク機構説明図
【図４】  同図３の状態の断面図
【図５】  同表示切り換え途中におけるリンク機構説明図
【図６】  同不透過表示状態におけるリンク機構説明図
【図７】  同図６の状態の断面図
【図８】  従来の液晶表示装置の断面図
【符号の説明】
３      透過型液晶表示器
５      制御釦
６      反射板
７      操作部
１１    第１のリンク
１３    第２のリンク
１６    トグルバネ
１７    ホールドスイッチ
【図１】
0004534275.tif 000002
【図２】
0004534275.tif 000003
【図３】
0004534275.tif 000004
【図４】
0004534275.tif 000005
【図５】
0004534275.tif 000006
【図６】
0004534275.tif 000007
【図７】
0004534275.tif 000008
【図８】
0004534275.tif 000009